(57)【特許請求の範囲】
【請求項１】
複数の支柱と、これらの支柱間に伸縮可能に設けた扉体とを備え、前記支柱のうち両端側の固定側支柱は固定手段により固定柱に固定するとともに、前記扉体は両開きできるようにしてなる伸縮門扉であって、
前記固定手段は、固定柱を抱持して固定するクランプと、固定側支柱を抱持して固定する締め金と、クランプと締め金とを連結する連結部材とからなり、この一種類の固定手段で、両端側の固定側支柱を左右両側の固定柱にそれぞれ固定するようにしてなることを特徴とする伸縮門扉。
【請求項２】
扉体が両開きの場合には、左右２つの単位扉体を用いて、各単位扉体の固定側支柱と可動側支柱とは把手等の付随手段を有する同一構造とするとともに、各単位扉体は左右いずれの側にも取り付けできるようにしてなる請求項１の伸縮門扉。
【請求項３】
複数の支柱と、これらの支柱間に伸縮可能に設けた扉体とを備え、前記支柱のうち一端側の固定側支柱は固定手段により固定柱に固定するとともに、前記扉体は片開きできるようにしてなる伸縮門扉であって、
前記固定手段は、固定柱を抱持して固定するクランプと、固定側支柱を抱持して固定する締め金と、クランプと締め金とを連結する連結部材とからなり、この一種類の固定手段で、左開き扉体または右開き扉体のいずれかの固定側支柱を右側または左側の固定柱にそれぞれ固定するようにしてなることを特徴とする伸縮門扉。
【請求項４】
扉体が１つの単位扉体を用いた片開きの場合において、固定側支柱と可動側支柱とは把手等の付随手段を有する同一構造とするとともに、この扉体は左右いずれの方向にも開き勝手を変更できるように構成してなる請求項３の伸縮門扉。
【請求項５】
固定手段として、クランプは、固定クランプの一端と可動クランプの一端とを枢軸で連結し、固定クランプの他端に枢支したボルトを、可動クランプの他端の二股部に形成した係入孔に係入可能とするとともに、固定クランプの締め金の対向側には連結板を突設してなり、
締め金は、伸縮門扉の固定側支柱を抱持して固定するための第１締め金部材及び第２締め金部材で構成され、前記第１締め金部材及び第２締め金部材にはフランジが突設されており、
第１締め金部材のフランジと第２締め金部材のフランジとの間に前記クランプの連結板を挟持させて、これら両フランジ及び連結板とをボルト・ナットで締め付けて連結するものであって、このボルト・ナットを弛めることにより第１締め金部材と第２締め金部材を拡開し、締め付けることにより第１締め金部材と第２締め金部材を収縮するようにしてなる請求項１〜４のいずれかに記載の伸縮門扉。
【発明の詳細な説明】
【０００１】
【発明の属する技術分野】
本発明は、工事現場の出入口等に設置される伸縮門扉に関する。
【０００２】
【従来の技術】
従来、この種の伸縮門扉としては、（イ）  複数の支柱と、これらの支柱間に伸縮可能に設けた扉体とを備え、前記支柱のうち固定側支柱には固定手段としてのクランプを溶接して、該クランプで出入口に設けられた固定柱を抱持して前記固定側支柱を固定し、他方の支柱に設けられた把手を引くことにより扉体を収縮又は伸長させて、工事現場等の出入口を開放または閉鎖させるものである。
【０００３】
（ロ）  また、特開平９ー２５７７７号公報に示すように、複数の支柱間に伸縮自在の格子を取り付けて扉体を形成し、この扉体の両側に配置された支柱の上下方向に延びる溝を外側面に有し、各溝内の上下部にパイプクランプを着脱自在に支持するクランプ連結片を取り付け、前記パイプクランプの取付位置の変更によって左勝手用の伸縮門扉又は右勝手用の伸縮門扉を形成するようにしたものも、知られている。
【０００４】
一般には、伸縮門扉には、左右２つの単位扉体を用いて扉体が両開きできるようにした両開き式のものと、１つの単位扉体を用いて扉体が片開きできるようにた片開き式のものとがある。
【０００５】
【発明が解決しようとする課題】
しかるに、上記従来例（イ）の伸縮門扉では、固定支柱に固定手段としてのクランプを溶接してなるものであるため、２つの単位扉体を用いる両開き式の場合は、左勝手用の単位扉体と右勝手用の単位扉体の２種類が必要であった。
【０００６】
１つの単位扉体を用いる片開き式の場合は、出入口の左側を開閉させる場合と、右側を開閉させる場合とがあり、この場合においても、左勝手用の単位扉体（伸縮門扉）と右勝手用の単位扉体（伸縮門扉）の２種類が必要であった。
【０００７】
このように、従来例（イ）の伸縮門扉では、クランプの取付位置によって左勝手用または右勝手用に限定されるため、２種類の単位扉体（伸縮門扉）を用意しておく必要があり、製品コストが高価となる欠点があった。
【０００８】
従来例（ロ）の伸縮門扉では、従来例（イ）の有する上記の欠点は解消されるが、次の如き欠点が挙げられる。
すなわち、上記特開平９ー２５７７７号公報記載の伸縮門扉では、固定側支柱と固定柱とを固定する固定手段として、支柱の上下方向の溝内に１組のクランプ連結片をネジ止めするとともに、該クランプ連結片に形成した挿入孔に、前記クランプ連結片に接続した連結軸を抜き差し自在に挿入し、該連結軸を割ピンで止着するものであるため、前述のクランプ連結片やネジや割ピンなどの多数の構成部品が必要であるとともに、固定側支柱へのクランプ連結片の組み付け作業やネジ止め作業並びに割ピン取付け作業を必要とし、作業効率が悪かった。さらに、伸縮門扉の開閉操作が頻繁に行なわれるに従って、前記ネジが弛んでクランプ連結片がガタついたり外れたりすることにより、伸縮門扉が開閉時に揺動するなどの欠点があった。
【０００９】
本発明は、上記従来例（イ）、（ロ）の有する欠点を解消し、左勝手用または右勝手用のいずれの伸縮門扉としても使用できるとともに、固定側支柱と固定柱とを固定する固定手段の構造を一体化して、簡単な構造で固定側支柱への組み付け作業時間の短縮化を図り作業効率を向上させるようにした伸縮門扉を提供することを目的とする。
【００１０】
【課題を解決するための手段】
上記目的を達成するため、本発明の伸縮門扉は、複数の支柱と、これらの支柱間に伸縮可能に設けた扉体とを備え、前記支柱のうち両端側の固定側支柱は固定手段により固定柱に固定するとともに、前記扉体は両開きできるようにしてなる伸縮門扉であって、前記固定手段は、固定柱を抱持して固定するクランプと、固定側支柱を抱持して固定する締め金と、クランプと締め金とを連結する連結部材とからなり、この一種類の固定手段で、両端側の固定側支柱を左右両側の固定柱にそれぞれ固定するようにしてなるものである。
【００１１】
扉体が両開きの場合には、左右２つの単位扉体を用いて、各単位扉体の固定側支柱と可動側支柱とは把手等の付随手段を有する同一構造とするとともに、各単位扉体は左右いずれの側にも取り付けできるようにしてなる方が好ましい。
【００１２】
また、本発明の伸縮門扉は、複数の支柱と、これらの支柱間に伸縮可能に設けた扉体とを備え、前記支柱のうち一端側の固定側支柱は固定手段により固定柱に固定するとともに、前記扉体は片開きできるようにしてなる伸縮門扉であって、前記固定手段は、固定柱を抱持して固定するクランプと、固定側支柱を抱持して固定する締め金と、クランプと締め金とを連結する連結部材とからなり、この一種類の固定手段で、左開き扉体または右開き扉体のいずれかの固定側支柱を右側または左側の固定柱にそれぞれ固定するようにしてなるものである。
【００１３】
扉体が１つの単位扉体を用いた片開きの場合において、固定側支柱と可動側支柱とは把手等の付随手段を有する同一構造とするとともに、この扉体は左右いずれの方向にも開き勝手を変更できるように構成してある方が好ましい。
【００１４】
固定手段として、クランプは、固定クランプの一端と可動クランプの一端とを枢軸で連結し、固定クランプの他端に枢支したボルトを、可動クランプの他端の二股部に形成した係入孔に係入可能とするとともに、固定クランプの締め金の対向側には連結板を突設してなり、締め金は、伸縮門扉の固定側支柱を抱持して固定するための第１締め金部材及び第２締め金部材で構成され、前記第１締め金部材及び第２締め金部材にはフランジが突設されており、第１締め金部材のフランジと第２締め金部材のフランジとの間に前記クランプの連結板を挟持させて、これら両フランジ及び連結板とをボルト・ナットで締め付けて連結するものであって、このボルト・ナットを弛めることにより第１締め金部材と第２締め金部材を拡開し、締め付けることにより第１締め金部材と第２締め金部材を収縮するようにしてなるものを用いている。
【００１５】
扉体は、実施形態で示すように、複数の支柱間に複数の斜交材を井桁状に組み合わせてなる伸縮リンク式のものに限らず、この伸縮リンク式のものにパネルを着脱自在に取り付けてなる伸縮リンク及びパネル併用式のもの、或いは周知の如く伸縮パネル式のもの等でもよく、その他の構造でも採用することができる。
【００１６】
【発明の実施の形態１】
本発明の実施の形態の第一例を図１〜図１０に基づいて以下に説明する。
図１は両開き式の伸縮門扉を閉扉した状態の全体の正面図、図２は図１の扉体を収縮した状態での側面図、図３は図１における右側単位扉体の固定側支柱と固定柱とを固定手段で連結した状態を示す拡大斜視図、図４は固定手段の斜視図、図５は図４の正面図、図６は図４の右側面図、図７は図４の左側面図、図８は固定手段の可動クランプを拡開した状態の斜視図、図９は落し錠の取り付け状態を示す斜視図、図１０は落し錠の斜視図である。
【００１７】
本発明の第１実施形態の伸縮門扉は、図１に示すように、両開きの扉体を用いており、複数の支柱１…１と、これらの支柱１…１間に伸縮可能に設けた扉体２とを備え、前記支柱１…１のうち両端側の固定側支柱１Ａ、１Ａは固定手段４０により、工事現場等の出入口に立設固定された固定柱８０に固定されている。
【００１８】
前記扉体２は、左側の単位扉体２Ａと、右側の単位扉体２Ｂとの２つからなっており、図１で中央部に設けた可動側支柱１Ｂ、１Ｂの把手３、３を、それぞれ同図で矢印方向に引くことにより、各単位扉体２Ａ、２Ｂが収縮されて工事現場等の入口が開放される。この開放状態の工事現場等の入口を図１の如く閉扉状態とする場合には、前記把手３、３を前記矢印方向とは逆方向に引けばよい。
【００１９】
図１のように、扉体２が両開きの場合において、左右２つの単位扉体２Ａ、２Ｂの固定側支柱１Ａと可動側支柱１Ｂとは、把手３や錠取付金具４等の付随手段５を有する同一構造とすることにより、各単位扉体２Ａ、２Ｂは左右いずれの側にも取り付けできる利点がある。
【００２０】
支柱１（固定側支柱１Ａ、可動側支柱１Ｂも含む）は、図３に示す如く、２本のチャンネル材１１、１１からなっている。両チャンネル材１１、１１は、その溝１２、１２が互いに内側を向くように対向され、かつその対向面間に斜交材１３が挿通されるようにして、該チャンネル材１１、１１の上部をボルト１４とナット１５（図２参照）で締め付けて連結している。各支柱１の下端には基板１６を介してキャスター１７がボルト・ナット等で取り付けてある（図２参照）。なお、図１で１Ｃは１本からなる補助支柱である。
【００２１】
扉体２（単位扉体２Ａ、２Ｂ）は、複数の支柱１…１間に複数の斜交材１３…１３を井桁状に組み合わせ、各斜交材１３の交差部をピン又はボルト・ナット等の枢軸１８で連結して収縮自在としている。
【００２２】
図２に示すように、斜交材１３の下段の交差部は、前後の支柱１、１間にまたがってボルト２０やナット２１で枢着されており、これで下段の交差部が斜交材１３…１３の上下変化に対する固定位置となる。また、斜交材１３の上段の交差部には、前後にローラー２２、２２を軸支している。ローラー２２、２２は前後の支柱１、１の各溝１２にそれぞれ転動自在に嵌装されており、斜交材１３の伸縮動作における上段交差部の上下変化を円滑に行なうように構成されている。
【００２３】
従って、図１で、可動側支柱１Ｂを矢印方向に移動させることにより、扉体２（単位扉体２Ａ、２Ｂ）が収縮され入口が開放される。逆に、入口が開放状態時には可動側支柱１Ｂを矢印方向と反対方向に移動させることで、扉体２（単位扉体２Ａ、２Ｂ）が伸長され入口が閉扉される。
なお、図２で、６は振れ止めフックであって、この振れ止めフック６に単管（図示せず）を横架して、扉体２が強風等によって揺動するのを防止する。
【００２４】
前記固定手段４０は、工事現場等の入口に立設された固定柱８０を抱持して固定するクランプ５０と、扉体２の固定側支柱１Ａを抱持して固定する締め金６０と、クランプ５０と締め金６０とを連結する連結部材７０とからなっている。この一種類の固定手段４０で、両開き式伸縮門扉の両端側の固定側支柱１Ａ、１Ａを左右両側の固定柱８０、８０にそれぞれ固定するようにしてある。
【００２５】
固定手段４０は、上記構成要素を有する限り、本発明では特に限定しないのであるが、本実施形態の固定手段４０は次のような構成を採っている。
すなわち、クランプ５０は、略Ｌ字状の固定クランプ５１の一端と略円弧状の可動クランプ５２の一端とを枢軸５３で回動自在に連結し、固定クランプ５１の他端に枢軸５５で枢支したボルト５４を、可動クランプ５１の他端の二股部５６、５６に形成した係入孔５７に係入して、該ボルト５４にナット５８を螺合して可動クランプ５２を締め付けるようにしたものである。また固定クランプ５１の締め金６０の対向側には連結板５９を突設している。
【００２６】
締め金６０は、伸縮門扉の固定側支柱１Ａを抱持して固定するための第１締め金部材６１及び第２締め金部材６２で構成され、前記第１締め金部材６１及び第２締め金部材６２にはフランジ６３、６４が突設されている。
【００２７】
第１締め金部材６１のフランジ６３と第２締め金部材６２のフランジ６４との間に前記クランプ５０の連結板５９を挟持させて、これら両フランジ６３、６４及び連結板５９とをボルト・ナット７１で締め付けて連結するものである。そして、ボルト・ナット７１を弛めることにより第１締め金部材６１と第２締め金部材６２を拡開し、締め付けることにより第１締め金部材６１と第２締め金部材６２を収縮するものである。
なお、前記連結板５９と、第１、第２の締め金部材６１、６２のフランジ６３、６４とは、連結部材７０を構成するものである。
【００２８】
伸縮門扉の固定側支柱１Ａと、工事現場等の入口に立設された固定柱８０とを、固定手段４０で連結して固定する方法としては、図８の矢印に示すように、締め金６０をボルト・ナット７１を弛めることにより拡開してから、固定側支柱１Ａを抱持し、前記ボルト・ナット７１を締め付けることにより、締め金６０を固定側支柱１Ａに固定する（図１、図３参照）。
【００２９】
次に、クランプ５０を図８に示すように、固定クランプ５１と可動クランプ５２とを、ボルト５４による連結を止めた状態で矢印のように拡開してから固定柱８０を抱持し、固定クランプ５１に枢支したボルト５４を可動クランプ５２の二股部５６、５６の係入孔５７に係入してナット５８で締め付けて固定する。
【００３０】
図１の如く両開き式伸縮門扉の両端側の支柱に固定手段４０を取り付ける場合には、図１で右側に示した固定手段４０と同一の固定手段４０を反転して左側に対称的にして取り付けるとよい。
【００３１】
図１、図９及び図１０で、８１は、支柱１（１Ａ、１Ｂ）の下端を固定したキャスター１７つきの基板１６にボルト・ナット等の締結部材８２で固定した落し錠である。この落し錠８１は、図９と図１０に示すように、軸８３を使用時に下動して、コンクリート８４に穿設した穴８５に埋め込むことにより、強風等の際に伸縮門扉の振動等を防止するものであり、このとき軸８３の把手８３ａは縦長のガイド孔８６に連設された下部係合孔８７に係合するようにしてある。この落し錠８１の不使用時には軸８３は上動されて図１０の如く把手８３ａが上部係合孔８８に係合されるようになっている。
【００３２】
【発明の実施の形態２】
本発明の実施の形態の第二例を図１１に基づいて以下に説明する。図１１は片開き式の伸縮門扉を一部開放した状態の全体の正面図である。
【００３３】
この第２実施形態の伸縮門扉は、扉体が片開き（図１１では左開きであるが、右開きのものにも採用できる。）である点で、前記第１実施形態と異なっている。従って、単位扉体は、図１の両開き式では２つ必要としていたが、この片開き式では１つでよい。
【００３４】
すなわち、この実施形態においては、複数の支柱１…１と、これらの支柱１…１間に伸縮可能に設けた扉体２とを備え、前記支柱１…１のうち一端側の固定側支柱１Ａは固定手段４０により固定柱８０に固定されている。
【００３５】
前記固定手段４０は、前記第１実施形態の場合と同一構成のものを用いている。すなわち、固定柱８０を抱持して固定するクランプ５０と、固定側支柱１Ａを抱持して固定する締め金６０と、クランプ５０と締め金６０とを連結する連結部材７０とからなっている。この一種類の固定手段４０で、図１１の如く左開き扉体の固定側支柱１Ａを右側の固定柱８０に固定するようにしている。
なお、図１１で、左側の固定柱としては、右側の固定柱８０と同一のものと、扉体２の固定側支柱１Ａ又は可動側支柱１Ｂと同一のものとの２本を採用している。９０は囲いなどの閉鎖体である。
【００３６】
図１１で、扉体２の左端に設けた可動側支柱１Ｂの把手３を、更に左側方向に引くことにより、扉体２が完全に伸びて工事現場等の入口を完全に閉鎖する。この完全閉鎖状態から工事現場等の入口を開放する場合には、前記把手３を右側方向へ引くことにより、扉体２が収縮されて上記工事現場等の入口が開放される。
【００３７】
図１のように、扉体２が１つの単位扉体を用いた片開きの場合において、固定側支柱１Ａと可動側支柱１Ｂとは、把手３や錠取付金具４等の付随手段５を有する同一構造とすることにより、この扉体２は左右いずれの方向にも開き勝手を変更できる利点がある。
【００３８】
図１１では左開き式の伸縮門扉としているが、この図１１における扉体２を右開き式の伸縮門扉として変更することもできる。すなわち、図１１において、扉体２はそのままのものを用い、図示しないが左側の固定柱を右側の固定柱８０の如く１本だけとするともに、右側の固定柱を左側の固定柱８０、８０の如く２本として、左側を固定し右側を可動とする。そして、図１１の右側の固定手段４０と同一の構造のものを図１の左側に示す如く反転して、クランプ５０で固定柱８０を抱持して締め付け、締め金６０で固定側支柱１Ａを抱持して締め付けて固定する。これで右開き式の伸縮門扉となる。
【００３９】
従って、固定手段４０を、図１１に示す如く扉体２の右側の固定側支柱１Ａと固定柱８０とに取り付けることによって、左開き式の伸縮門扉が得られる。また、固定手段４０を、左側の固定側支柱（図１１では可動側支柱１Ｂに相当する）と固定柱８０とに取りつけることによって、右開き式の伸縮門扉が得られるのである。
【００４０】
図１の各単位扉体２Ａ、２Ｂを構成する部材（支柱１、付随手段５、キャスター１７等）と、図１１の扉体２を構成する部材（（支柱１、付随手段５、キャスター１７等）とが同一の場合には、図１１に用いられている扉体２を、図１の両開き式の各単位扉体２Ａ、２Ｂに共用ことができるし、逆に図１に用いられている単位扉体２Ａ、２Ｂの１つを図１１の片開き式の扉体２に共用することができる。
【００４１】
扉体２の斜交材１３は、収縮（折り畳み）時には支柱１（固定側支柱１Ａ、可動側支柱１Ｂを含む）同士間の空間１９内に納まるようになっているので、扉体２は極めてコンパクトに折り畳みできる。
【００４２】
各支柱（１Ａ、２Ｂ、３Ｃも含む）及び斜交材１３の材質は、本発明では限定しないが、アルミニウム材を用いれば軽量化できるので好ましい。
【００４３】
【発明の効果】
本発明の請求項１によれば、両開き式の伸縮門扉において、固定側支柱と固定柱とを固定する固定手段は、固定柱を抱持して固定するクランプと、固定側支柱を抱持して固定する締め金と、クランプと締め金とを連結する連結部材とからなり、この一種類の固定手段で、両端側の固定側支柱を左右両側の固定柱にそれぞれ固定するようにしてなるから、一種類の固定手段を複数個用いるだけで、両開き式の伸縮門扉の左右両端側の固定側支柱を、左右両側の固定柱にそれぞれ簡単に固定することができるとともに、固定側支柱への固定手段の組み付け作業効率も向上される。
【００４４】
本発明の請求項２によれば、各単位扉体は左右いずれの側にも取り付けできる。つまり左右共用できる単位扉体が提供できる。ゆえに、左勝手用伸縮門扉と右勝手用伸縮門扉の両方を製作する必要がなくなり、経済的に安価となる。
【００４５】
本発明の請求項３によれば、片開き式の伸縮門扉において、固定側支柱と固定柱とを固定する固定手段は、固定柱を抱持して固定するクランプと、固定側支柱を抱持して固定する締め金と、クランプと締め金とを連結する連結部材とからなり、この一種類の固定手段で、左開き扉体または右開き扉体のいずれかの固定側支柱を右側または左側の固定柱にそれぞれ固定するようにしてなるから、一種類の固定手段を複数個用いるだけで、片開き式の伸縮門扉を左勝手用又は右勝手用に変更することができる。従って、従来例（イ）のように、左勝手用伸縮門扉と右勝手用伸縮門扉の両方を製作する必要がなくなり、経済的に安価となる。さらに、固定側支柱への固定手段の組み付け作業効率も向上される。
【００４６】
本発明の請求項４によれば、１つの単位扉体を左開き式の伸縮門扉として又は右開き式の伸縮門扉として、左右の開き勝手を簡単に変更できる。また、この単位扉体を２つ設けることによって、前述した両開き式の伸縮門扉に変更することができる。
【００４７】
本発明の請求項５によれば、固定側支柱を固定柱に固定する固定手段として、従来例（ロ）の如きクランプ連結片やネジや割ピンなどの多数の構成部品は不要で、構造が簡単であり、扉体の固定側支柱への組み付け作業も簡単で迅速にでき、作業効率が向上される。
【図面の簡単な説明】
【図１】第１実施形態における両開き式の伸縮門扉を閉扉した状態の全体の正面図である。
【図２】図１の扉体を収縮した状態での側面図である。
【図３】図１における右側単位扉体の固定側支柱と固定柱とを固定手段で連結した状態を示す拡大斜視図である。
【図４】固定手段の斜視図である。
【図５】  図４の正面図である。
【図６】図４の右側面図である。
【図７】図４の左側面図である。
【図８】固定手段の可動クランプを拡開した状態の斜視図である。
【図９】落し錠の取り付け状態を示す斜視図である。
【図１０】落し錠の斜視図である。
【図１１】第２実施形態における片開き式の伸縮門扉を一部開放した状態の全体の正面図である。
【符号の説明】
１      支柱
１Ａ    固定側支柱
１Ｂ    可動側支柱
１Ｃ    補助支柱
２      扉体
２Ａ    単位扉体
２Ｂ    単位扉体
３      把手
４      錠取付金具
５      付随手段
１１    チャンネル材
１３    斜交材
１６    基板
１７    キャスター
１８    枢軸
４０    固定手段
５０    クランプ
５１    固定クランプ
５２    可動クランプ
５３    枢軸
５４    ボルト
５９    連結板
６０    締め金
６１    第１締め金部材
６２    第２締め金部材
６３    フランジ
６４    フランジ
７０    連結部材
８０    固定柱
８１    落し錠
【図１】
0004124539.tif 000002
【図２】
0004124539.tif 000003
【図３】
0004124539.tif 000004
【図４】
0004124539.tif 000005
【図５】
0004124539.tif 000006
【図６】
0004124539.tif 000007
【図７】
0004124539.tif 000008
【図８】
0004124539.tif 000009
【図９】
0004124539.tif 000010
【図１０】
0004124539.tif 000011
【図１１】
0004124539.tif 000012